(57)【要約】【課題】異なるラベル貼付手段を選択的に設置可能として設備コストの削減を図ることのできるラベル貼付装置を提供することにある。【解決手段】帯状の剥離シートＲＬにラベルＬが仮着された原反Ｒを支持する原反支持手段１１と、前記ラベルＬを剥離シートＲＬから剥離する第１及び第２のピールプレート２４，７５と、前記ラベルＬを被着体Ｗに貼付する第１及び第２の貼付ユニット１３，７０とを備えてラベル貼付装置１０が構成されている。第１の貼付ユニット１３は、プレスローラ２８を備えて構成されている一方、第２の貼付ユニットは吸着グリッド７４を備えて構成されている。これら第１及び第２の貼付ユニット１３、７０は、フレームＦに対し、選択的に設置される。【選択図】図１
2008189359.tif 000002
【特許請求の範囲】
【請求項１】
帯状の剥離シートの一方の面にラベル若しくは帯状のラベル基材が仮着された原反を支持する原反支持手段と、前記原反を繰り出す過程で前記ラベル若しくはラベル基材に切り込みを設けて形成されるラベルを剥離シートから剥離する剥離手段と、前記ラベルを被着体に貼付する貼付手段と、前記原反に繰出力を付与する駆動手段と、前記各手段を支持する支持体とを備えたラベル貼付装置において、
前記貼付手段は、前記ラベルを剥離シートから剥離しつつ前記被着体に貼付する第１の貼付ユニットと、前記ラベルを剥離シートから剥離した後に前記被着体に貼付する第２の貼付ユニットとを含み、これら第１及び第２のユニットは、前記剥離手段の近傍位置に選択的に設置可能とされることを特徴とするラベル貼付装置。
【請求項２】
前記剥離手段はピールプレートにより構成され、前記第１の貼付ユニットは、ピールプレートの先端側に配置される押圧手段を備えて構成されることを特徴とする請求項１記載のラベル貼付装置。
【請求項３】
前記剥離手段はピールプレートにより構成され、前記第２の貼付ユニットは、前記ラベルを一時的に保持して前記被着体に対して進退可能に設けられた保持手段を備えて構成されることを特徴とする請求項１記載のラベル貼付装置。
【請求項４】
前記剥離手段は、前記第１及び第２の貼付ユニットに対応する第１及び第２のピールプレートを含み、これら第１及び第２のピールプレートは、共通の取付部材を介して前記支持体に着脱自在に設けられていることを特徴とする請求項１，２又は３記載のラベル貼付装置。
【請求項５】
前記剥離手段は、前記第１及び第２の貼付ユニットに対して共用可能なピールプレートにより構成されていることを特徴とする請求項１，２又は３記載のラベル貼付装置。
【発明の詳細な説明】
【技術分野】
【０００１】
本発明はラベル貼付装置に係り、更に詳しくは、貼付方式が異なる異種タイプの貼付ユニット（貼付手段）を選択的に設置可能として汎用性が付与されたラベル貼付装置に関する。
【背景技術】
【０００２】
帯状の剥離シートにラベルが仮着された原反をロール状に巻回した状態で繰出可能に支持し、前記原反を繰り出す途中で剥離シートからラベルを剥離して被着体に貼付可能としたラベル貼付装置が知られている。
この種のラベル貼付装置においては、剥離シートから剥離されたラベルを被着体に貼付する貼付手段として、プレスローラ（押圧手段）を用いた貼付方式と、吸着グリッド（保持手段）を用いた貼付方式とに大別される（例えば、特許文献１，２参照）。
特許文献１は、ピールプレートの先端側にプレスローラを配置し、ラベルをピールプレートで剥離しつつプレスローラでラベルを被着体に押圧する貼付方式を開示する一方、特許文献２は、剥離シートから剥離されたラベルを吸着グリッドで一時的に吸着保持し、その後に、前記ラベルを被着体に押圧する貼付方式を開示する。
【０００３】
【特許文献１】特開２００６−１８２３９６号公報
【特許文献２】特開２００６−２８２２２１号公報
【発明の開示】
【発明が解決しようとする課題】
【０００４】
前記プレスローラを用いた貼付方式によれば、ラベルの剥離と貼付動作とが略同時に行われるため、ラベルの貼付能力（単位時間当たりのラベル貼付数）は高いものとなるが、被着体に対するラベル貼付位置に正確性が要求される場合等、ラベル貼付精度はあまり高くない。
この一方、吸着グリッドを用いた貼付方式によれば、ラベルを一時的に吸着保持する動作が必要となるため、ラベル貼付能力はプレスローラを用いた貼付方式に比べて相対的に低いものとなるが、貼付精度においては、相対的に高い。
このように、プレスローラを用いた貼付方式と、吸着グリッドを用いた貼付方式とでは、それぞれ長所と短所とを併せ持つ関係にあり、そのため、被着体との相関関係に基づいて、何れかの貼付方式を用いたラベル貼付装置を使い分ける必要があり、これが設備コストの上昇を招く、という不都合を招来する。
【０００５】
［発明の目的］
本発明は、このような不都合に着目して案出されたものであり、その目的は、異なる貼付方式をユニット化し、これらを支持体に選択的に設置可能として設備コストの削減を図ることができ、ラベル貼付の要求や条件に応じた使い分けを容易に行うことが可能なラベル貼付装置を提供することにある。
【課題を解決するための手段】
【０００６】
前記目的を達成するため、本発明は、帯状の剥離シートの一方の面にラベル若しくは帯状のラベル基材が仮着された原反を支持する原反支持手段と、前記原反を繰り出す過程で前記ラベル若しくはラベル基材に切り込みを設けて形成されるラベルを剥離シートから剥離する剥離手段と、前記ラベルを被着体に貼付する貼付手段と、前記原反に繰出力を付与する駆動手段と、前記各手段を支持する支持体とを備えたラベル貼付装置において
前記貼付手段は、前記ラベルを剥離シートから剥離しつつ前記被着体に貼付する第１の貼付ユニットと、前記ラベルを剥離シートから剥離した後に前記被着体に貼付する第２の貼付ユニットとを含み、これら第１及び第２のユニットは、前記剥離手段の近傍位置に選択的に設置可能とされる、という構成を採っている。
【０００７】
本発明において、前記剥離手段はピールプレートにより構成され、前記第１の貼付ユニットは、ピールプレートの先端側に配置される押圧手段を備える、という構成を採っている。
【０００８】
また、前記剥離手段はピールプレートにより構成され、前記第２の貼付ユニットは、前記ラベルを吸着保持して前記被着体に対して進退可能に設けられた保持手段を備える、という構成を採っている。
【０００９】
更に、前記剥離手段は、前記第１及び第２の貼付ユニットに対応する第１及び第２のピールプレートを含み、これら第１及び第２のピールプレートは、共通の取付部材を介して前記支持体に着脱自在に設けられる、という構成を採ることができる。
【００１０】
また、前記剥離手段は、前記第１及び第２の貼付ユニットに対して共用可能なピールプレートにより構成することもできる。
【発明の効果】
【００１１】
本発明によれば、第１及び第２の貼付ユニットを選択的に設置することができるため、貼付方式が異なる専用のラベル貼付装置を別々に利用する必要がなく、何れか一の貼付ユニットを選択的に設置することで、要求や条件に応じたラベル貼付を行うことができ、設備コストを削減して汎用性に富むラベル貼付装置を提供することが可能となる。
【００１２】
また、剥離手段は、各貼付ユニット毎に異なるピールプレートを用いても、共通の取付部材を介して着脱自在であるため、ユニット交換に伴うレイアウトの大幅な変更を必要とすることがなく、交換作業の煩雑性を回避することができる。
【００１３】
更に、前記ピールプレートが各貼付ユニットに共用可能とした場合には、貼付ユニットのみを交換すれば足りることとなり、作業の更なる簡易化が達成される他、パーツのコスト削減を図ることもできる。
【発明を実施するための最良の形態】
【００１４】
以下、本発明の実施の形態について図面を参照しながら説明する。
【００１５】
図１には、第１の貼付ユニットが適用されたラベル貼付装置の概略正面図が示され、図２には、その一部を省略した概略平面図が示されている。これらの図において、ラベル貼付装置１０は、帯状の剥離シートＲＬの一方の面にラベルＬが仮着された原反Ｒをロール状に巻回した状態で支持する原反支持手段１１と、前記原反Ｒを繰り出す過程で前記ラベルＬを剥離シートＲＬから剥離する剥離手段１２と、前記ラベルＬを被着体Ｗに貼付する貼付手段としての第１の貼付ユニット１３と、前記原反Ｒに繰出力を付与する駆動手段１５と、前記剥離シートＲＬを巻き取る巻取手段１６と、これら各手段を支持する支持体としてのフレームＦとを備えて構成されている。ここで、フレームＦは、略方形の板状をなし、その板の面が略鉛直方向に沿う姿勢で配置されている。
【００１６】
前記原反支持手段１１は、図１に示されるように、前記フレームＦの上端から上方に突出するアーム板２０と、当該アーム板２０から紙面直交方向手前側に突出する状態で、当該アーム板２０に回転可能に支持された支持軸２１とにより構成されている。
【００１７】
前記剥離手段１２は、前記フレームＦの下部に着脱自在に設けられた第１のピールプレート２４により構成されている。この第１のピールプレート２４は、フレームＦに対して図１中斜め左下方に突出する傾斜姿勢に装着されており、その先端に前記原反Ｒを掛け回して当該原反Ｒを反転させて巻き取ることでラベルＬが剥離できるように構成されている。また、第１のピールプレート２４は、ねじ等の取付部材２６を介してフレームＦに固定されている。
【００１８】
前記第１の貼付ユニット１３は、第１のピールプレート２４の先端側に位置する押圧手段としてのプレスローラ２８と、当該プレスローラ２８を片持ち姿勢で支持する長片板状の支持アーム２９とにより構成されている。支持アーム２９は、前記フレームＦの後面側で第１のピールプレート２４と略平行に延びる連結部材３０に着脱自在に連結されている。この支持アーム２９の中間位置の前面側には分岐アーム３２が原反Ｒの繰出方向に横断するように連結されており、当該分岐アーム３２には、ピールプレート２４に沿って繰り出される最先のラベルＬ表面に略接するラベル押さえ３３が固定されている。また、前記連結部材３０は長片板状をなし、その長手方向両端側は、前記フレームＦの後面側で相互に略平行に配置されたリンクバー３４，３５の一端にそれぞれ相対回転可能に連結されている。これらリンクバー３４，３５の他端は、前記フレームＦの後面側に突出する固定軸３６，３７に対して相対回転可能に連結されている。ここで、リンクバー３５の中間部とフレームＦとの間には引張ばね３９が掛け渡されており、これにより、リンクバー３５の自由端側（図１中左端側）が常に下方に引っ張られるように付勢されている。
【００１９】
また、前記連結部材３０には、前記フレームＦの面内に形成された略円弧状のスロット穴４０，４１を貫通してフレームＦの前面側に突出する軸４２、４３が連結されている。軸４２には、前記第１のピールプレート２４に沿って繰り出される原反Ｒに対して一定の繰出抵抗を付与可能な摩擦力を付与するブレーキローラ４５が支持されている一方、軸４３には後述する駆動ローラ５６との間に剥離シートＲＬを挟み込むピンチローラ４６が支持されている。なお、前記スロット穴４０，４１は、前記連結部材３０の移動によって軸４２、４３がフレームＦと相互干渉しないように形成されており、前記ブレーキローラ４５及びピンチローラ４６が移動できるようになっている。
【００２０】
前記リンクバー３５を回転可能に支持する軸３７には回転アーム５０の一端も回転可能に支持に支持され、当該回転アーム５０は、前記リンクバー３５にカラー３７Ａによって連結されている。この回転アーム５０の他端側には、操作軸５１が取り付けられており、当該操作軸５１は、前記フレームＦの面内に形成されたスロット穴５３を貫通してフレームＦの前面側に突出するように設けられている。このような構成により、操作軸５１を前記引張ばね３９の引張力に抗して移動させることによって、連結部材３０を移動させることが可能となっている。
【００２１】
前記駆動手段１５は、前記フレームＦの後面側に支持されたモータＭと、フレームＦの面内を貫通して前面側に突出する出力軸５５に支持された駆動ローラ５６とにより構成されている。この駆動ローラ５６の外周面に接触する位置には、図示しない移動機構を介して駆動ローラ５６に対して離間接近可能な除去ローラ５７が併設され、当該除去ローラ５７は、ラベルＬを剥離した後の剥離シートＲＬに残留した接着剤を除去し、前記ピンチローラ４６に剥離シートＲＬが絡み付いてしまうことを防止する。なお、前記フレームＦの後面側において、前記出力軸５５には駆動プーリ５８が固定されている。
【００２２】
前記巻取手段１６は、フレームＦの外側に突出する支持プレート６０に回転可能に支持された巻取ローラ６６により構成されている。この巻取ローラ６６を支持する回転軸６７には、従動プーリ６８が固定され、当該従動プーリ６８と前記駆動プーリ５８との間にエンドレスベルト６９が巻装され、これにより、駆動ローラ５６の回転とともに、巻取ローラ６６が回転して前記剥離シートＲＬの巻き取りを行うようになっている。
【００２３】
図３には、前記第１の貼付ユニット１３に代えて、第２の貼付ユニット７０が支持されている。この貼付ユニット７０は、フレームＦの後面側に取り付けられる取付板７１に支持されたシリンダ７２と、このシリンダ７２の下端側に位置するとともに上下方向に沿って進退可能に設けられた保持手段としての吸着グリッド７４とを含む。この吸着グリッド７４の下面側は吸着保持面とされており、図３に示される実線位置がラベルＬを吸着保持する初期位置とされ、当該初期位置から下方に突出して被着体Ｗの上面にラベルを押圧して貼付するように設けられている。そのため、図１に示すプレスローラ２８を支持する支持アーム２９は連結部材３０から取り外されるとともに、相対的に長さの短い第２のピールプレート７５が採用されている。この第２のピールプレート７５は、取付部材２６を用いてフレームＦに取り付けられ、第２のピールプレート７５の先端は、前記初期位置にある吸着グリッド７４の吸着保持面に隣接する位置に設定されている。
【００２４】
次に、本実施形態に係るラベル貼付動作について、第１の貼付ユニット１３を用いた場合について説明する。
【００２５】
図１に示されるように、原反支持手段１１にロール状に巻回した原反Ｒを支持させ、当該原反Ｒを所定長さ引き出しておく。この際、前記操作軸５１を掴み、引張ばね３９の引張力に抗して図１中時計方向に回転移動させることで、回転アーム５０に連結されているリンクバー３５と、当該リンクバー３５に連結部材３０を介して連結されているリンクバー３４がそれぞれ時計方向に回転する。これにより、ブレーキローラ４５及びニップローラ４６は、第１のピールプレート２４及び駆動ローラ５６に対してそれぞれ離間するとともに、ラベル押さえ３３及びプレスローラ２８も第１のピールプレート２４と離間し、原反Ｒを掛け回す作業空間が形成される。この際、除去ローラ５７は、図示しない移動機構を介して駆動ローラ５６から離間した位置に保たれる。
【００２６】
以上の状態で、原反Ｒを第１のピールプレート２４の先端に掛け回した後、原反Ｒを駆動ローラ５６と除去ローラ５７及びニップローラ４６との間に通過させ、そのリード端を巻取ローラ６６に固定する。この後、前記操作軸５１を元の位置に戻すことで、前記ブレーキローラ４５と第１のピールプレート２４との間、及び、駆動ローラ５６と第１のピンチローラ４６との間に原反Ｒ若しくは剥離シートＲＬが挟み込まれるとともに、ラベル押さえ３３が原反Ｒを押さえ込み、プレスローラ２８が所定の位置にセットされることとなる。これと同時に、除去ローラ５７と駆動ローラ５６との間に剥離シートＲＬを挟み込むように、除去ローラ５７を移動させ、これにより、ラベルＬの貼付を行うための初期設定作業が完了する。
【００２７】
この状態で、図示しない操作機器の自動貼付スイッチをＯＮすることにより、モータＭが駆動し、図示しないセンサが第１のピールプレート２４の先端のラベルＬを検出し、所定位置にラベルＬが停止した状態でスタンバイ状態となる。
【００２８】
そして、搬送装置Ｃ上を搬送される被着体Ｗを図示しないセンサ等で検出し、ラベルＬを剥離しつつプレスローラ２８を介して貼付動作が行われることとなる。この動作は、モータＭの駆動により駆動ローラ５６が回転することで、原反Ｒに繰出力が付与され、巻取ローラ６６が追従回転することで剥離シートＲＬが順次巻き取られる。
【００２９】
ここで、前記第１の貼付ユニット１３に代えて、第２の貼付ユニット７０によるラベル貼付を行う必要が生じたときは、プレスローラ２８及びラベル押さえ３３を支持している支持アーム２９を連結部材３０から取り外す。また、取付部材２６をフレームＦから外してピールプレート２４をフレームＦから取り外す。
そして、前記取付部材２６を介して第２のピールプレート７５をフレームＦに所定姿勢となる状態で取り付けるとともに、第２の貼付ユニット７０を支持する取付板７１をフレームＦの後面側に固定する。
これにより、図３に示されるような剥離シートＲＬから剥離されるラベルＬを一時的に吸着保持し、被着体ＷにラベルＬを貼付する方式のラベル貼付装置に変更することができる。
【００３０】
従って、このような実施形態によれば、ラベルＬを被着体Ｗに貼付する際の要求や条件に応じて第１及び第２の貼付ユニット１３，７０を選択的に設置可能なラベル貼付装置１０を提供することができる。
【００３１】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
【００３２】
例えば、前記実施形態では、第１及び第２のピールプレート２４，７５が交換される場合を図示、説明したが、本発明は必ずしもこれに限定されるものではなく、ピールプレートが長さ調整可能に設けられたものであれば、その向きを変更するだけで、いずれの貼付ユニットを利用する場合でも共用可能となる。
【００３３】
また、前記実施形態では、剥離シートＲＬにラベルＬが所定間隔をおいて仮着された原反Ｒを適用したが、帯状の剥離シートＲＬ上に帯状のラベル基材を仮着した原反を適用することもできる。この場合、原反を繰り出す過程で適宜な切断装置による切り込みを形成し、当該切り込みで囲まれる内側領域をラベルとして剥離し、貼付することができる。要するに、本発明は、第１及び第２の貼付ユニット１３，７０の双方を選択的に設置できるラベル貼付装置であればよい。
【００３４】
更に、押圧手段としては、プレスローラ以外に、噴出エアや、弾性変形可能なブレード材、ブラシ等、他の貼付ユニットを採用することを妨げない。
【００３５】
また、保持手段としては、吸着グリッドに代えて、メカチャック、静電チャック等、ラベルを剥離した後に一時的に保持可能な構成のものであれば採用が可能である。
【図面の簡単な説明】
【００３６】
【図１】第１の貼付ユニットが適用されたラベル貼付装置の概略正面図。
【図２】前記ラベル貼付装置の一部を省略した概略平面図。
【図３】第２の貼付ユニットが適用されたラベル貼付装置の概略正面図。
【符号の説明】
【００３７】
１０  ラベル貼付装置
１１  原反支持手段
１２  剥離手段
１３  第１の貼付ユニット（貼付手段）
１５  駆動手段
２４  ピールプレート
２６  取付部材
２８  プレスローラ
７０  第２の貼付ユニット（貼付手段）
７４  吸着グリッド
Ｆ  フレーム（支持体）
Ｌ  ラベル
Ｒ  原反
ＲＬ  剥離シート
【図１】
2008189359.tif 000003
【図２】
2008189359.tif 000004
【図３】
2008189359.tif 000005